(57)【要約】【課題】搬送経路を樹脂で形成する場合に、負荷や衝撃が加わっても、緩和して、搬送経路あるいはその周囲の部品に対して破損しにくい記録装置を提供すること。【解決手段】記録装置（１）は、記録媒体の搬送経路の内周を形成する下部搬送経路部（１２）と、下部搬送経路部（１２）に係合し、搬送経路の内周を形成する上部搬送経路部（１３）とを備える。下部搬送経路部（１２）と上部搬送経路部（１３）との係合部は、搬送経路の幅方向に対して斜めに形成された係合部（１７、２１、２６、２７）を有する。【選択図】図４
2013059978.tif 000002
【特許請求の範囲】
【請求項１】
筐体と、
前記筐体に設けられ、記録媒体の搬送経路の内周を形成する下部搬送経路部と、
前記筐体に設けられ、前記下部搬送経路部に係合し、前記搬送経路の内周を形成する上部搬送経路部と、を備え、
前記下部搬送経路部と前記上部搬送経路部との係合部は、搬送経路の幅方向に対して斜めに形成された端部を有することを特徴とする記録装置。
【請求項２】
前記下部搬送経路部と前記上部搬送経路部により、搬送方向を折り返す搬送経路を構成し、折り返す搬送経路に前記係合部が設けられていることを特徴とする請求項１記載の記録装置。
【請求項３】
前記下部搬送経路部は、前記上部搬送経路部に対して、記録媒体の搬送方向の上流側であることを特徴とする請求項２記載の記録装置。
【請求項４】
前記下部搬送経路部側の係合部分は、前記上部搬送経路部側の係合部分より突き出すように係合していることを特徴とする請求項３記載の記録装置。
【請求項５】
前記折り返す搬送経路に対向し、前記筐体に対して開閉自在で、閉状態のとき前記搬送経路の外周の一部を形成する搬送経路ユニットを備え、
記録媒体が前記搬送経路ユニットの搬送面に当接する部分に前記係合部が対向し、
前記係合部は、前記上部搬送経路部側の係合部分が前記下部搬送経路部側の係合部分より突き出すように係合していることを特徴とする請求項２または請求項３に記載の記録装置。
【請求項６】
前記係合部は、三角形状に並び互いに噛合うように係合していることを特徴とする請求項１または請求項２に記載の記録装置。
【発明の詳細な説明】
【技術分野】
【０００１】
本発明は、記録装置に関し、特に、記録媒体を搬送する搬送経路の構造に関する。
【背景技術】
【０００２】
従来では、特許文献１に示す如く、記録装置は、記録媒体を収容するカセットを記録装置の正面から挿入し、カセットに載置された記録媒体を搬送経路に給紙する。搬送経路は、上方に向けて折り返す経路を成し、記録ヘッドで記録され、正面に記録された記録媒体が排紙される。
【先行技術文献】
【特許文献】
【０００３】
【特許文献１】特開２０１１−５７３５４号公報
【発明の概要】
【発明が解決しようとする課題】
【０００４】
記録装置は、コスト低減の１つとして、金属に代わり、プラスチックなどの合成樹脂が用いられる。記録装置の上方から負荷が加えられ、あるいは、記録装置が落下し衝撃が加えられると、負荷や衝撃は記録装置内に伝播することになる。
【０００５】
本発明は、このような状況に鑑み成されたものであり、その課題は、搬送経路を樹脂で形成する場合に、負荷や衝撃が加わっても、緩和して、搬送経路あるいはその周囲の部品に対して破損しにくい記録装置を提供することである。
【課題を解決するための手段】
【０００６】
上記課題を達成するため、本発明の第１の態様の記録装置は、筐体と、前記筐体に設けられ、記録媒体の搬送経路の内周を形成する下部搬送経路部と、前記筐体に設けられ、前記下部搬送経路部に係合し、前記搬送経路の内周を形成する上部搬送経路部と、を備え、
前記下部搬送経路部と前記上部搬送経路部との係合部は、搬送経路の幅方向に対して斜めに形成された端部を有することを特徴とする。
【０００７】
本態様によれば、筐体に対して負荷や衝撃が加えられ、下部搬送経路部あるいは上部搬送経路部に負荷や衝撃が伝播する。しかし、下部搬送経路部と前記上部搬送経路部とは、搬送経路の幅方向に対して斜めに形成された端部を有する係合部であるため、負荷や衝撃は分散され、部分的に負荷や衝撃が集中して、係合部の一部が破損する、あるいは組みずれを起こすことがない。
【０００８】
本発明の第２の態様は、第１の態様において、
前記下部搬送経路部と前記上部搬送経路部により、搬送方向を折り返す搬送経路を構成し、折り返す搬送経路に前記係合部が設けられていることを特徴とする。
【０００９】
本発明の第３の態様は、第２の態様において、前記下部搬送経路部は、前記上部搬送経路部に対して、記録媒体の搬送方向の上流側であることを特徴とする。
【００１０】
本発明の第４の態様は、第３の態様において、前記下部搬送経路部側の係合部分は、前記上部搬送経路部側の係合部分より突き出すように係合していることを特徴とする。この態様によれば、記録媒体が係合部で引っかかることを防止することができる。
【００１１】
本発明の第５の態様は、第２または第３の態様において、前記折り返す搬送経路に対向し、前記筐体に対して開閉自在で、閉状態のとき前記搬送経路の外周の一部を形成する搬送経路ユニットを備え、記録媒体が前記搬送経路ユニットの搬送面に当接する部分に前記係合部が対向し、前記係合部は、前記上部搬送経路部側の係合部分が前記下部搬送経路部側の係合部分より突き出すように係合していることを特徴とする。この態様によれば、記録媒体が係合部で引っかかることを防止することができる。
【００１２】
本発明の第６の態様は、上記態様において、前記係合部は、三角形状に並び互いに噛合うように係合していることを特徴とする。
【図面の簡単な説明】
【００１３】
【図１】プリンターを示す正面から見た斜視図。
【図２】プリンターを示す背面から見た斜視図。
【図３】プリンターを示す背面から見た斜視図で、搬送経路ユニットを開いた斜視図。
【図４】搬送経路の示す断面図。
【図５】図４の部分拡大図。
【発明を実施するための形態】
【００１４】
以下、本発明の実施の形態を図面に基づいて説明する。
図１は、本発明に係る記録装置の一例であるプリンターを示す正面から見た斜視図である。図２は、プリンターを示す背面から見た斜視図である。図３は、プリンターを示す背面から見た斜視図で、搬送経路ユニットを開いた斜視図である。図４は、搬送経路の示す断面図である。図５は、図４の示す部分拡大図である。
【００１５】
図１に示すように、プリンター１は、プラスチックなどの合成樹脂でなる筐体を成す本体２を備えている。本体２は、正面に、給紙カセット挿入口３と、記録された記録媒体である用紙が排紙される排紙口４が形成されている。給紙カセット挿入口３に給紙カセット５が着脱自在に装着される。本体の２の上面には、記録の入力指示や、記録状態を表示するための操作パネル６が設けられている。
【００１６】
図２に示すように、本体２は、背面に、搬送経路ユニットの装着口７が形成されている。この装着口７に、開閉自在の搬送経路ユニット８が装着されている。搬送経路ユニット８の外表面は、取っ手として機能する凹部９が形成されている。搬送経路ユニット８は、本体２の内側と対向する内面に、後述する搬送経路を成す搬送面が形成されている。
【００１７】
搬送経路ユニット８は、下部に回転軸３１（図４参照）を備え、回動自在に本体２に対して開閉する。
図３は、搬送経路ユニット８を開いた状態を示す。搬送経路ユニット８が開くと、装着口７が開口し、搬送経路を成すプラスチックなどの合成樹脂でなる内周側搬送経路形成部１１を露出させることができる。搬送経路ユニット８は、本体２の背面に対して９０度回動させる構成にすることで、装着口７の開口をより大きく開口させることができ、内周側搬送経路形成部１１を露出量も大きくすることができる。
【００１８】
搬送経路ユニット８を開き、装着口７を開口させることで、用紙が詰まった場合に、この装着口７から詰まった用紙を取り除くことができる。
【００１９】
図４は、搬送経路を示す概略の断面図である。本体２の高さ方向における給紙カセット挿入口３と排紙口４との間に、本体２に連結され、搬送経路を構成する内周側搬送経路形成部１１が配置される。内周側搬送経路形成部１１は、下部内周側搬送経路形成部１２と、上部内周側搬送経路形成部１３とを、上下組み合わせて構成される。
【００２０】
下部内周側搬送経路形成部１２は、装着された給紙カセット５の分離斜面１４側に開口部１５が形成されている。この開口部１５を介して、揺動可能な給紙ローラー１６が突出する。給紙ローラー１６は、図示しないモーターによる駆動手段の動力に基づいて、給紙カセット５に載置された用紙の最上位の用紙を給紙する。給紙ローラー１６は、給紙カセット５の載置された最後の一枚を給紙できるように、揺動可能である。また、給紙ローラー１６は、給紙カセット５を装着口７より着脱する際に、給紙カセット５の移動を阻害しないように、退避する機能を備えている。また、下部内周側搬送経路形成部１２は、本体２の正面側に、第１立上り部１７が形成されている。下部内周側搬送経路形成部１２の本体２の背面側は、搬送経路ユニット８の外周側搬送経路面２０に沿って湾曲して立上る、第２立上り部２１が形成されている。
【００２１】
上部内周側搬送経路形成部１３は、上面に記録ヘッド２２が所定の隙間を保ち、対向配置される。この記録ヘッドは、用紙の搬送方向に対して幅方向に往復動する記録ヘッドや、用紙の幅方向に渡り延在するライン型記録ヘッドが好ましい。記録ヘッド２２に対して搬送方向の上流側、すなわち搬送経路ユニット８側には、搬送ローラー２３が配置され、搬送方向の下流側、すなわち排紙口４側には、排紙ローラー２４が配置される。搬送ローラー２３および排紙ローラー２４は、各々１つで構成されているが、上下でニップするように対を成す搬送ローラーおよび排紙ローラーで構成しても良い。その場合は、下側の搬送ローラーおよび排紙ローラーは、上部内周側搬送経路形成部１３より露出するように配置するのが好ましい。
【００２２】
また、上部内周側搬送経路形成部１３は、本体２の正面側に、低い段差で形成された排紙受け面２５と、この排紙受け面２５の端部より立下り、第１立上り部１７に係合する第１立下り部２６が形成されている。また、上部内周側搬送経路形成部１３の搬送ローラー２３より、本体２の背面側は、搬送経路ユニット８の外周側搬送経路面２０に沿って湾曲して立下がり、第２立上り部２１に係合する第２立下り部２７が形成されている。
【００２３】
下部内周側搬送経路形成部１２と上部内周側搬送経路形成部１３が係合することで、内周側搬送経路を成す内周側搬送経路形成部１１が形成される。第２立上り部２１と第２立下り部２７が係合することで、搬送経路ユニット８の外周側搬送経路面２０に沿って湾曲した内周側搬送経路が形成される。
【００２４】
図５は、下部内周側搬送経路形成部１２の第１立上り部１７と上部内周側搬送経路形成部１３の第１立下り部２６とが係合する係合部、および下部内周側搬送経路形成部１２の第２立上り部２１と上部内周側搬送経路形成部１３の第２立下り部２７とが係合する係合部を示す。
各係合部の構成は同じなので、１つの図で示している。係合部は、ジグザグ、すなわち鋸の歯のように、三角形状が並び互いに噛合うように係合している。この三角形状の先端は、鋭利でなく、丸味を持たせても良い。
【００２５】
この係合部は、第１立上り部１７と第１立下り部２６との係合部と、第２立上り部２１と第２立下り部２７との係合部の一方が、三角形状が並び互いに噛合うように係合させてもよい。
【００２６】
上記構成により、本体２に装着された給紙カセット５に載置された用紙３０は、操作パネル６により記録指示が出されると、駆動部により駆動される給紙ローラー１６が最上位の用紙３０を給紙し、給紙された用紙は給紙カセット５の分離斜面により、最上位の用紙３０のみが搬送経路に給送される。給送された用紙３０は、搬送経路ユニット８の外周側搬送経路面２０と、下部内周側搬送経路形成部１２の第２立上り部２１と上部内周側搬送経路形成部１３の第２立下り部２７で形成された湾曲した搬送経路により、搬送ローラー２３に向けて折り返される。用紙３０は、搬送ローラー２３により、記録ヘッド２２に向けて搬送され、記録ヘッド２２により文字や画像などのデータが用紙に記録される。そして、用紙３０は、排紙ローラー２４により排紙受け面２５に排出される。
【００２７】
用紙３０が給紙ローラー１６と搬送ローラー２３との間で詰まりが生じた場合には、図３に示すように、搬送経路ユニット８を回動させ、装着口７を開口させることで、用紙３０を除去することができる。
【００２８】
次に、プリンター１の上方から負荷が加えられ、あるいは、プリンター１が落下し衝撃が加えられると、負荷や衝撃は、本体２を介して内周側搬送経路形成部１１に伝播する。下部内周側搬送経路形成部１２と上部内周側搬送経路形成部１３の係合部は、三角形状が並び互いに噛合うように係合されているので、三角形状の係合部、すなわち、幅方向に対して斜めとなる端部により負荷や衝撃は分散されることになる。したがって、部分的に負荷や衝撃が集中して、係合部の一部が破損する、あるいは組みずれを起こすことがない。よって、合成樹脂を含む樹脂などの金属と比較して強度の低い材料で内周側搬送経路形成部１１を形成しても、耐久性のある搬送経路構造を実現することができる。
【００２９】
なお、下部内周側搬送経路形成部１２の第２立上り部２１と上部内周側搬送経路形成部１３の第２立下り部２７が係合部は、用紙の引っかかりを防止するために、段差のないように係合することが好ましい。合成樹脂で形成するために組みずれが発生しやすい場合は、下部内周側搬送経路形成部１２の第２立上り部２１が上部内周側搬送経路形成部１３の第２立下り部２７より突き出すように係合させることで、用紙の係合部での引っかかりを防止することができる。また、上部内周側搬送経路形成部１３の第２立下り部２７が下部内周側搬送経路形成部１２の第２立上り部２１より突き出すように係合せざるを得ない場合は、用紙は搬送経路ユニット８の外周側搬送経路面２０に当接する部分と対向する位置に配置することで、用紙の係合部での引っかかりを防止することができる。
【００３０】
下部内周側搬送経路形成部１２および上部内周側搬送経路形成部１３は、少なくとも一方が、１つの部材で構成されていても、分割されてもよい。また、両者１２，１３の少なくとも一方が本体２と一体に成形されてもよいし、本体２と分離されたものでもよい。
【００３１】
本発明は上記実施形態に限定されることなく、特許請求の範囲に記載した発明の範囲内で、種々の変形が可能であり、それらも本発明の範囲内に含まれるものであることは言うまでもない。
【符号の説明】
【００３２】
１  プリンター、２  本体、５  給紙カセット、８  搬送経路ユニット、１１  内周側搬送経路形成部、１２  下部内周側搬送経路形成部、１３  上部内周側搬送経路形成部、１４  排出口、１５  第１カバー、１６  給紙ローラー、１７  第１立上り部、２０  外周側搬送経路面、２１  第２立上り部、２２  記録ヘッド、２６  第１立下り部、２７  第２立下り部。
【図１】
2013059978.tif 000003
【図２】
2013059978.tif 000004
【図３】
2013059978.tif 000005
【図４】
2013059978.tif 000006
【図５】
2013059978.tif 000007